(57)【要約】【課題】本発明は、角速度センサを用いた入力に基づいて、テキストを利用した処理を可能とすることを目的とする。【解決手段】そして、この目的を達成するために本発明は、角速度センサ１１からの検知信号が入力される演算処理部１２と、この演算処理部１２に電気的に接続されたテキストデータ格納部１３とを備え、テキストデータ格納部１３には複数のテキストデータが格納されており、演算処理部１２が前記検知信号に最も近いと判断したテキストデータを選択して出力する電子機器としたものである。【選択図】図１
2009140301.tif 000002
【特許請求の範囲】
【請求項１】
角速度センサからの検知信号が入力される演算処理部と、
前記演算処理部に電気的に接続されたテキストデータ格納部とを備え、
前記テキストデータ格納部には複数のテキストデータが格納されており、
前記演算処理部が
前記検知信号に最も近いと判断したテキストデータを選択して出力する
電子機器。
【請求項２】
前記演算処理部に記憶部を電気的に接続し、
前記記憶部には複数の音源がアーティスト名と関連付けて記憶されており、
前記演算処理部が前記検知信号に最も近いと判断したテキストデータから始まるアーティスト名を前記記憶部から検索し出力する
請求項１に記載の電子機器。
【請求項３】
前記演算処理部に記憶部を電気的に接続し、
前記記憶部には複数の音源が曲名と関連付けて記憶されており、
前記演算処理部が前記検知信号に最も近いと判断したテキストデータから始まる曲名を前記記憶部から検索し出力する
請求項１に記載の電子機器。
【発明の詳細な説明】
【技術分野】
【０００１】
本発明は、コンピュータ等の電子機器に関するものである。
【背景技術】
【０００２】
従来この種の電子機器は、図４に示すごとく、内蔵された角速度センサ１とクリックボタン２とを有するマウス３と、このマウス３の出力部３Ａに電気的に接続された演算処理装置４と、この演算処理装置４に接続されたディスプレイ５とを備えていた。
【０００３】
そして、マウス３を図５に示すごとく、英文字「Ａ」を描くごとく動かすとともに図４に示すクリックボタン２を適宜オン・オフさせることにより、ディスプレイ５に文字や絵を描いていた。
【０００４】
具体的には、図６に示すごとく、図５に示した点１Ａから点１Ｂ間での時間をｔ０〜ｔ１、図５に示した点１Ｂから点１Ｃ間での時間をｔ１〜ｔ２、図５に示した点１Ｃから点１Ｄ間での時間をｔ２〜ｔ３、図５に示した点１Ｄから点１Ｅ間での時間をｔ３〜ｔ４とし、クリックボタン２のオン・オフを変化させる、即ち、図５に示した点１Ｃから点１Ｄ間での時間ｔ２〜ｔ３でクリックボタン２をオフ状態とすることにより、図５に示した点１Ｃから点１Ｄ間までを図４に示すディスプレイ５に出力せず、英文字「Ａ」を出力する構成を実現していた。
【０００５】
なお、この出願に関する先行技術文献情報としては、例えば、特許文献１が知られている。
【特許文献１】米国特許第５８９８４２１号明細書
【発明の開示】
【発明が解決しようとする課題】
【０００６】
このような従来の電子機器では、テキストを利用した処理ができないことが問題となっていた。
【０００７】
すなわち、上記従来の構成においては、演算処理装置４の出力は、ユーザがマウス３を動かすことによって描かれた「画像」としての文字でしか出力できないため、テキストを利用した処理ができないことが問題となっていた。
【０００８】
そこで本発明は、角速度センサを用いた入力に基づいて、テキストを利用した処理を可能とすることを目的とする。
【課題を解決するための手段】
【０００９】
そして、この目的を達成するために本発明は、角速度センサからの検知信号が入力される演算処理部と、この演算処理部に電気的に接続されたテキストデータ格納部とを備え、前記テキストデータ格納部には複数のテキストデータが格納されており、前記演算処理部が前記検知信号に最も近いと判断したテキストデータを選択して出力する電子機器としたものである。
【発明の効果】
【００１０】
この構成により、演算処理部が検知信号に最も近いと判断したテキストデータを選択して出力することができるため、角速度センサを用いた入力に基づいて、テキストを利用した処理を可能とすることができるのである。
【発明を実施するための最良の形態】
【００１１】
（実施の形態１）
以下、本発明の実施の形態１における電子機器について図面を参照しながら説明する。
【００１２】
図１に示すごとく、角速度センサ１１からの検知信号が入力される演算処理部１２と、この演算処理部１２に電気的に接続されたテキストデータ格納部１３とを備え、テキストデータ格納部１３には複数のテキストデータが格納されている。
【００１３】
そして、演算処理部１２が前記検知信号に最も近いと判断したテキストデータを選択して、当該テキストデータを出力信号として出力する。そして、この出力信号がディスプレイ１４に伝達され表示される。
【００１４】
具体的には、角速度センサ１１が内蔵されたマウス１５を、図２に示すごとく、英文字「Ａ」を描くように任意の空間中で移動させると、マウス１５内に内蔵された角速度センサ１１に角速度が加わり、この角速度を角速度センサ１１が検知することにより検知信号が作成され、演算処理部１２へ伝達される。そうすると、演算処理部１２は、テキストデータ格納部１３に格納された複数のテキストデータの中から、テキストデータとしての「Ａ」が前記検知信号に最も近いものと判断する。そして、この最も近いと判断したテキストデータ「Ａ」をディスプレイ１４に表示させる。
【００１５】
このような構成により、演算処理部１２が検知信号に最も近いと判断したテキストデータを選択して出力することができるため、角速度センサを用いた入力に基づいて、テキストを利用した処理を可能とすることができるのである。
【００１６】
さらに、このテキストデータを利用して、当該電子機器に検索機能を持たせることができる。
【００１７】
例えば、図１に示すごとく、演算処理部１２に記憶部１６を接続し、この記憶部１６には複数の音源がアーティスト名（あるいは曲名）と関連付けて記憶されているものとする。この状態において、マウス１５を図２に示すごとく英文字「Ａ」を描くように任意の空間中で移動させると、マウス１５内に内蔵された角速度センサ１１に角速度が加わり、この角速度を角速度センサ１１が検知することにより検知信号が作成され、演算処理部１２へ伝達される。そうすると、演算処理部１２は、テキストデータ格納部１３に格納された複数のテキストデータの中から、テキストデータとしての「Ａ」が前記検知信号に最も近いものと判断する。そして、この最も近いと判断したテキストデータ「Ａ」から始まるアーティスト名（あるいは曲名）が演算処理部１２により検索され、ディスプレイ１４に表示される。
【００１８】
なお、図１に示した本実施の形態における電子機器、入力装置としてのマウス１５、出力装置としてのディスプレイ１４の３者からなる構成を、図３に示すごとく、一体型の携帯型音楽再生装置に用いることも可能である。
【００１９】
即ち、図３に示すごとく、携帯型音楽再生装置１７は、その筐体１７Ａ内部に角速度センサ２１と、この角速度センサ２１からの検知信号が入力される演算処理部２２と、演算処理部２２に電気的に接続されたテキストデータ格納部２３とを備え、テキストデータ格納部２３には複数のテキストデータが格納されている。２６は、演算処理部２２に接続された記憶部であり、この記憶部２６には複数の音源がアーティスト名（あるいは曲名）と関連付けて記憶されているものとする。そして、携帯型音楽再生装置１７を図２に示すごとく英文字「Ａ」を描くように任意の空間中で移動させると、携帯型音楽再生装置１７内に内蔵された角速度センサ２１に角速度が加わり、この角速度を角速度センサ２１が検知することにより検知信号が作成され、演算処理部２２へ伝達される。そうすると、演算処理部２２は、テキストデータ格納部２３に格納された複数のテキストデータの中から、テキストデータとしての「Ａ」が前記検知信号に最も近いものと判断する。そして、この最も近いと判断したテキストデータ「Ａ」から始まるアーティスト名（あるいは曲名）が演算処理部２２により検索され、ディスプレイ２４に表示させる構成とすることが可能である。
【産業上の利用可能性】
【００２０】
本発明の電子機器は、角速度センサを用いた入力に基づいて、テキストを利用した処理を可能とすることができるという効果を有し、コンピュータ等の電子機器において有用である。
【図面の簡単な説明】
【００２１】
【図１】本発明の実施の形態１における電子機器に入力装置及び出力装置を接続した状態を示す斜視図
【図２】本発明の実施の形態１における電子機器に接続した入力装置を移動させる軌跡を示す図
【図３】本発明の実施の形態１における電子機器の他の実施例を示す上面図
【図４】従来の電子機器の斜視図
【図５】従来の電子機器に接続したマウスを移動させる軌跡を示す図
【図６】従来の電子機器に接続したマウスにおけるクリックボタンのオン・オフ状態を示す図
【符号の説明】
【００２２】
１１  角速度センサ
１２  演算処理部
１３  テキストデータ格納部
【図１】
2009140301.tif 000003
【図２】
2009140301.tif 000004
【図３】
2009140301.tif 000005
【図４】
2009140301.tif 000006
【図５】
2009140301.tif 000007
【図６】
2009140301.tif 000008